(57)【要約】【課題】  送受信周波数が変更されても、交換する必要が無く、一時的にでも使用不能になることが無い携帯電話の移動局の送受信周波数の変更方法の提供。【解決手段】  アンテナ共用器３１を備える移動局３０ａの送受信周波数を段階的に変更する際の送受信周波数の変更方法。アンテナ共用器３１に、変更前及び変更後の送信周波数帯域を通過帯域とする送信周波数帯域部３１ｃと、変更前受信周波数帯域部３１ａと、変更後受信周波数帯域部３１ｂとを用意し、変更前受信周波数帯域部３７ａ及び変更後受信周波数帯域部３７ｂを有する共用器３７を用意し、送受信周波数が段階的に変更されるのに応じて、変更前受信周波数帯域部３１ａを通過した信号、及び変更後受信周波数帯域部３１ｂを通過した信号の何れか又は両方を増幅し、増幅した信号に共用器３７を通過させる。【選択図】        図２
2006203810.tif 000002
【特許請求の範囲】
【請求項１】
送信用及び受信用で１つのアンテナを共用し、送受信周波数の各通過帯域を有するアンテナ共用器を備える携帯電話の基地局又は移動局の送受信周波数を段階的に変更する際の送受信周波数の変更方法であって、
前記アンテナ共用器に、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを用意し、前記変更前受信周波数帯域部及び変更後受信周波数帯域部を有する共用器を用意し、前記送受信周波数が段階的に変更されるのに応じて、前記アンテナ共用器の変更前受信周波数帯域部を通過した信号、及び前記アンテナ共用器の変更後受信周波数帯域部を通過した信号の何れか又は両方を増幅し、増幅した信号に前記共用器を通過させることを特徴とする送受信周波数の変更方法。
【請求項２】
送信用及び受信用で１つのアンテナを共用し、送受信周波数の各通過帯域を有する第１アンテナ共用器を移動局側に備え、携帯電話の基地局及び移動局間の送受信を中継する中継器の送受信周波数を段階的に変更する際の送受信周波数の変更方法であって、
前記第１アンテナ共用器に、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを用意し、前記変更前受信周波数帯域部及び変更後受信周波数帯域部を有する第１共用器を用意し、前記送受信周波数が段階的に変更されるのに応じて、前記第１アンテナ共用器の変更前受信周波数帯域部を通過した信号、及び前記第１アンテナ共用器の変更後受信周波数帯域部を通過した信号の何れか又は両方を増幅し、増幅した信号に前記第１共用器を通過させることを特徴とする送受信周波数の変更方法。
【請求項３】
前記基地局への変更前及び変更後の送信周波数帯域を通過帯域とする送信周波数帯域部と、前記基地局からの変更前受信周波数帯域を通過帯域とする変更前受信周波数帯域部と、前記基地局からの変更後受信周波数帯域を通過帯域とする変更後受信周波数帯域部とを有する第２アンテナ共用器と、前記変更前受信周波数帯域部及び変更後受信周波数帯域部を有する第２共用器とを前記中継器に更に用意し、前記送受信周波数が段階的に変更されるのに応じて、前記第２アンテナ共用器の変更前受信周波数帯域部を通過した信号、及び前記第２アンテナ共用器の変更後受信周波数帯域部を通過した信号の何れか又は両方を増幅し、増幅した信号に前記第２共用器を通過させる請求項２記載の送受信周波数の変更方法。
【請求項４】
前記基地局からの変更前送信周波数帯域の信号レベル、及び前記基地局からの変更後送信周波数帯域の信号レベルを各判定し、各判定した結果に基づき、前記変更前受信周波数帯域部を通過した信号、及び前記変更後受信周波数帯域部を通過した信号の何れか又は両方を増幅する請求項２記載の送受信周波数の変更方法。
【請求項５】
送信用及び受信用で１つのアンテナを共用し、送受信周波数の各通過帯域を有するアンテナ共用器を備え、送受信周波数の変更に備えるように構成された携帯電話の基地局であって、
前記アンテナ共用器は、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを有し、前記変更前受信周波数帯域部を通過した信号を増幅する第１増幅器と、前記変更後受信周波数帯域部を通過した信号を増幅する第２増幅器と、前記第１及び第２増幅器の各出力を各オン／オフする各オン／オフ手段と、該第１及び第２増幅器が各増幅した信号の各周波数帯域を通過帯域とする各受信周波数帯域部を有する共用器とを備えることを特徴とする携帯電話の基地局。
【請求項６】
送信用及び受信用で１つのアンテナを共用し、送受信周波数の各通過帯域を有するアンテナ共用器を備え、送受信周波数の変更に備えるように構成された携帯電話の移動局であって、
前記アンテナ共用器は、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを有し、前記変更前受信周波数帯域部を通過した信号を増幅する第１増幅器と、前記変更後受信周波数帯域部を通過した信号を増幅する第２増幅器と、前記第１及び第２増幅器の各出力を各オン／オフする各オン／オフ手段と、該第１及び第２増幅器が各増幅した信号の各周波数帯域を通過帯域とする各受信周波数帯域部を有する共用器とを備えることを特徴とする携帯電話の移動局。
【請求項７】
送信用及び受信用で１つのアンテナを共用し、送受信周波数の各通過帯域を有する第１アンテナ共用器を、移動局側に備え、基地局及び移動局間の送受信を中継し、送受信周波数の変更に備えるように構成された携帯電話の中継器であって、
前記第１アンテナ共用器は、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを有し、前記変更前受信周波数帯域部を通過した信号を増幅する第１増幅器と、前記変更後受信周波数帯域部を通過した信号を増幅する第２増幅器と、前記第１及び第２増幅器の各出力を各オン／オフする各オン／オフ手段と、該第１及び第２増幅器が各増幅した信号の各周波数帯域を通過帯域とする各受信周波数帯域部を有する第１共用器とを備えることを特徴とする携帯電話の中継器。
【請求項８】
前記基地局への変更前及び変更後の送信周波数帯域を通過帯域とする送信周波数帯域部と、前記基地局からの変更前受信周波数帯域を通過帯域とする変更前受信周波数帯域部と、前記基地局からの変更後受信周波数帯域を通過帯域とする変更後受信周波数帯域部とを有する第２アンテナ共用器と、前記変更前受信周波数帯域部を通過した信号を増幅する第３増幅器と、前記変更後受信周波数帯域部を通過した信号を増幅する第４増幅器と、前記第３及び第４増幅器の各出力を各オン／オフする各オン／オフ手段と、該第３及び第４増幅器が各増幅した信号の各周波数帯域を通過帯域とする各受信周波数帯域部を有する第２共用器とを更に備える請求項７記載の携帯電話の中継器。
【請求項９】
前記基地局からの変更前送信周波数帯域の信号レベルを判定する第１判定手段と、前記基地局からの変更後送信周波数帯域の信号レベルを判定する第２判定手段とを更に備え、前記第１及び第２判定手段の各判定結果に基づき、前記各オン／オフ手段を作動制御するように構成してある請求項７記載の携帯電話の中継器。
【発明の詳細な説明】
【技術分野】
【０００１】
本発明は、携帯電話の基地局、移動局、中継器の各送受信周波数の変更方法、送受信周波数の変更に備えるように構成された携帯電話の基地局、携帯電話の移動局及び携帯電話の中継器に関するものである。
【背景技術】
【０００２】
携帯電話では、図７に示すように、基地局１０及び移動局（携帯電話端末）３０間で、下り回線及び上り回線の双方向でデータを送受信し、通話及びデータ通信を行っており、使用する周波数帯域は、下り回線及び上り回線でそれぞれ定められ固定されている。また、ビル陰及び地下街等の電波が届き難く、基地局１０及び移動局３０間で送受信が困難な地域、及び基地局１０からの遠隔地には、中継器（中継局）が設置されている。
【０００３】
図８は、従来の携帯電話の基地局のフロントエンド部の構成例を示すブロック図である。この基地局１０のフロントエンド部では、基地局アンテナ１が受信した信号は、２帯域アンテナ共用器２０１の上り帯域部２０１ｂで濾波され、濾波された信号は、増幅器２０２で増幅される。また、送信する信号は、増幅器２０３で増幅された後、２帯域アンテナ共用器２０１の下り帯域部２０１ａで濾波され、濾波された信号は、基地局アンテナ１から送信される。
アンテナ共用器は、無線機の送信部と受信部とで１つのアンテナを共用できるように、分岐回路と送信用／受信用の通過周波数帯域が異なる２つのフィルタとをパッケージに収めたものである。尚、実際には、送信用／受信用の区別は無く、また、通過周波数帯域が異なるフィルタが３つ以上のものもある。
【０００４】
図９は、従来の携帯電話の移動局のフロントエンド部の構成例を示すブロック図である。この移動局３０のフロントエンド部では、移動局アンテナ２が受信した信号は、２帯域アンテナ共用器２１０の下り帯域部２１０ａで濾波され、濾波された信号は、増幅器２１１で増幅されて、図示しない復調部へ与えられる。また、図示しない変調部からの信号は、増幅器２１２で増幅された後、２帯域アンテナ共用器２１０の上り帯域部２１０ｂで濾波され、濾波された信号は移動局アンテナ２から送信される。
【０００５】
図１０は、従来の携帯電話の中継器の構成例を示すブロック図である。この中継器の移動局側装置５０では、移動局側アンテナ３が受信した信号は、２帯域アンテナ共用器１５１の上り帯域部１５１ｂで濾波され、濾波された信号は増幅器１５２で増幅された後、電気／光変換器１５３で光信号に変換される。変換された光信号は、上り光回線１５７で例えば数ｋｍ離れた基地局側装置７０へ送信され、基地局側装置７０の光／電気変換器１７４で電気信号に変換された後、増幅器１７３で増幅され、カプラ１７５を通じて、基地局１５０へ与えられる。
【０００６】
一方、カプラ１７５を通じて基地局側装置７０に与えられた基地局１５０からの信号は、増幅器１７１で増幅された後、電気／光変換器１７２で光信号に変換され、下り光回線１５６で移動局側装置５０へ送信される。移動局側装置５０へ送信された光信号は、光／電気変換器１５５で電気信号に変換された後、増幅器１５４で増幅される。増幅された電気信号は、２帯域アンテナ共用器１５１の下り帯域部１５１ａで濾波され、濾波された信号は、移動局側アンテナ３から移動局３０へ送信される。尚、１つの基地局側装置に対し、移動局側装置が複数接続される構成もある。
【０００７】
図１１は、従来の携帯電話の中継器の他の構成例を示すブロック図である。この中継器１９０では、移動局側アンテナ３が受信した信号は、２帯域アンテナ共用器１９１の上り帯域部１９１ｂで濾波され、濾波された信号は増幅器１９２で増幅された後、２帯域アンテナ共用器１９４の上り帯域部１９４ｂで濾波される。濾波された信号は、基地局側アンテナ４から基地局１０へ送信される。
【０００８】
一方、基地局側アンテナ４が基地局１０から受信した信号は、２帯域アンテナ共用器１９４の下り帯域部１９４ａで濾波され、濾波された信号は増幅器１９３で増幅された後、２帯域アンテナ共用器１９１の下り帯域部１９１ａで濾波される。濾波された信号は、移動局側アンテナ３から移動局３０へ送信される。
【特許文献１】特開２００２−２３７７８３号公報
【発明の開示】
【発明が解決しようとする課題】
【０００９】
近年、携帯電話のサービス拡大に伴い、周波数利用効率の改善、周波数配置の最適化を図る為、携帯電話が使用している周波数帯域が変更される事態が発生している。基地局及び移動局の内部構成要素は、現在使用している周波数でのみ動作が可能であり、周波数が変更された場合、内部構成要素又は機器自体の交換が必要となる。その為、周波数が変更される都度、交換コストが発生する、また、基地局の内部構成要素又は基地局自体の交換時には電波の出力が停止され、対象エリアでは、移動局が使用できなくなる等の問題がある。
【００１０】
また、周波数変更に移行期（変更前及び変更後の両帯域での同時運用時期）が設定される場合は、変更前帯域のみでの運用、変更前及び変更後の両帯域での同時運用、変更後帯域のみでの運用の順に運用形態が移り、各運用形態での運用が可能である必要がある。更に、変更前帯域のみでの運用時は、変更後帯域の信号は不要信号となる為、この帯域での増幅機能の停止が必要となる場合があり、変更後帯域のみでの運用時は、変更前帯域の信号は不要信号となる為、この帯域での増幅機能の停止が必要となる場合がある。
【００１１】
本発明は、上述したような事情に鑑みてなされたものであり、第１発明では、送受信周波数が変更された場合でも、基地局又は移動局を交換する必要が無く、移動局が一時的にでも使用できなくなることが無い、携帯電話の基地局又は移動局の送受信周波数の変更方法を提供することを目的とする。
第２乃至第４発明では、送受信周波数が変更された場合でも、中継器を交換する必要が無く、移動局が一時的にでも使用できなくなることが無い、携帯電話の中継器の送受信周波数の変更方法を提供することを目的とする。
【００１２】
第５発明では、送受信周波数が変更された場合でも、交換する必要が無く、移動局が一時的にでも使用できなくなることが無い、携帯電話の基地局を提供することを目的とする。
第６発明では、送受信周波数が変更された場合でも、交換する必要が無く、一時的にでも使用できなくなることが無い、携帯電話の移動局を提供することを目的とする。
第７乃至第９発明では、送受信周波数が変更された場合でも、交換する必要が無く、移動局が一時的にでも使用できなくなることが無い、携帯電話の中継器を提供することを目的とする。
【課題を解決するための手段】
【００１３】
第１発明に係る送受信周波数の変更方法は、送信用及び受信用で１つのアンテナを共用し、送受信周波数の各通過帯域を有するアンテナ共用器を備える携帯電話の基地局又は移動局の送受信周波数を段階的に変更する際の送受信周波数の変更方法であって、前記アンテナ共用器に、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを用意し、前記変更前受信周波数帯域部及び変更後受信周波数帯域部を有する共用器を用意し、前記送受信周波数が段階的に変更されるのに応じて、前記アンテナ共用器の変更前受信周波数帯域部を通過した信号、及び前記アンテナ共用器の変更後受信周波数帯域部を通過した信号の何れか又は両方を増幅し、増幅した信号に前記共用器を通過させることを特徴とする。
【００１４】
この送受信周波数の変更方法では、送信用及び受信用で１つのアンテナを共用し、送受信周波数の各通過帯域を有するアンテナ共用器を備える携帯電話の基地局又は移動局の送受信周波数を段階的に変更する。アンテナ共用器に、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを用意する。変更前受信周波数帯域部及び変更後受信周波数帯域部を有する共用器を用意する。送受信周波数が段階的に変更されるのに応じて、アンテナ共用器の変更前受信周波数帯域部を通過した信号、及びアンテナ共用器の変更後受信周波数帯域部を通過した信号の何れか又は両方を増幅する。増幅した信号に共用器を通過させ、両方の信号が増幅されている場合は、両方の信号を合成する。
【００１５】
第２発明に係る送受信周波数の変更方法は、送信用及び受信用で１つのアンテナを共用し、送受信周波数の各通過帯域を有する第１アンテナ共用器を移動局側に備え、携帯電話の基地局及び移動局間の送受信を中継する中継器の送受信周波数を段階的に変更する際の送受信周波数の変更方法であって、前記第１アンテナ共用器に、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを用意し、前記変更前受信周波数帯域部及び変更後受信周波数帯域部を有する第１共用器を用意し、前記送受信周波数が段階的に変更されるのに応じて、前記第１アンテナ共用器の変更前受信周波数帯域部を通過した信号、及び前記第１アンテナ共用器の変更後受信周波数帯域部を通過した信号の何れか又は両方を増幅し、増幅した信号に前記第１共用器を通過させることを特徴とする。
【００１６】
この送受信周波数の変更方法では、送信用及び受信用で１つのアンテナを共用し、送受信周波数の各通過帯域を有する第１アンテナ共用器を移動局側に備え、携帯電話の基地局及び移動局間の送受信を中継する中継器の送受信周波数を段階的に変更する。第１アンテナ共用器に、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを用意する。変更前受信周波数帯域部及び変更後受信周波数帯域部を有する第１共用器を用意する。送受信周波数が段階的に変更されるのに応じて、第１アンテナ共用器の変更前受信周波数帯域部を通過した信号、及び第１アンテナ共用器の変更後受信周波数帯域部を通過した信号の何れか又は両方を増幅する。増幅した信号に第１共用器を通過させ、両方の信号が増幅されている場合は、両方の信号を合成する。
【００１７】
第３発明に係る送受信周波数の変更方法は、前記基地局への変更前及び変更後の送信周波数帯域を通過帯域とする送信周波数帯域部と、前記基地局からの変更前受信周波数帯域を通過帯域とする変更前受信周波数帯域部と、前記基地局からの変更後受信周波数帯域を通過帯域とする変更後受信周波数帯域部とを有する第２アンテナ共用器と、前記変更前受信周波数帯域部及び変更後受信周波数帯域部を有する第２共用器とを前記中継器に更に用意し、前記送受信周波数が段階的に変更されるのに応じて、前記第２アンテナ共用器の変更前受信周波数帯域部を通過した信号、及び前記第２アンテナ共用器の変更後受信周波数帯域部を通過した信号の何れか又は両方を増幅し、増幅した信号に前記第２共用器を通過させることを特徴とする。
【００１８】
この送受信周波数の変更方法では、基地局への変更前及び変更後の送信周波数帯域を通過帯域とする送信周波数帯域部と、基地局からの変更前受信周波数帯域を通過帯域とする変更前受信周波数帯域部と、基地局からの変更後受信周波数帯域を通過帯域とする変更後受信周波数帯域部とを有する第２アンテナ共用器と、変更前受信周波数帯域部及び変更後受信周波数帯域部を有する第２共用器とを中継器に更に用意する。送受信周波数が段階的に変更されるのに応じて、第２アンテナ共用器の変更前受信周波数帯域部を通過した信号、及び第２アンテナ共用器の変更後受信周波数帯域部を通過した信号の何れか又は両方を増幅する。増幅した信号に第２共用器を通過させ、両方の信号が増幅されている場合は、両方の信号を合成する。
【００１９】
第４発明に係る送受信周波数の変更方法は、前記基地局からの変更前送信周波数帯域の信号レベル、及び前記基地局からの変更後送信周波数帯域の信号レベルを各判定し、各判定した結果に基づき、前記変更前受信周波数帯域部を通過した信号、及び前記変更後受信周波数帯域部を通過した信号の何れか又は両方を増幅することを特徴とする。
【００２０】
この送受信周波数の変更方法では、基地局からの変更前送信周波数帯域の信号レベル、及び基地局からの変更後送信周波数帯域の信号レベルを各判定する。各判定した結果に基づき、変更前受信周波数帯域部を通過した信号、及び変更後受信周波数帯域部を通過した信号の何れか又は両方を増幅する。
【００２１】
第５発明に係る携帯電話の基地局は、送信用及び受信用で１つのアンテナを共用し、送受信周波数の各通過帯域を有するアンテナ共用器を備え、送受信周波数の変更に備えるように構成された携帯電話の基地局であって、前記アンテナ共用器は、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを有し、前記変更前受信周波数帯域部を通過した信号を増幅する第１増幅器と、前記変更後受信周波数帯域部を通過した信号を増幅する第２増幅器と、前記第１及び第２増幅器の各出力を各オン／オフする各オン／オフ手段と、該第１及び第２増幅器が各増幅した信号の各周波数帯域を通過帯域とする各受信周波数帯域部を有する共用器とを備えることを特徴とする。
【００２２】
この携帯電話の基地局では、送信用及び受信用で１つのアンテナを共用し、送受信周波数の各通過帯域を有するアンテナ共用器を備え、送受信周波数の変更に備えるように構成されている。アンテナ共用器が、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを有している。第１増幅器が、変更前受信周波数帯域部を通過した信号を増幅し、第２増幅器が、変更後受信周波数帯域部を通過した信号を増幅する。各オン／オフ手段が、第１及び第２増幅器の各出力を各オン／オフし、共用器が、第１及び第２増幅器が各増幅した信号の各周波数帯域を通過帯域とする各受信周波数帯域部を有している。
【００２３】
第６発明に係る携帯電話の移動局は、送信用及び受信用で１つのアンテナを共用し、送受信周波数の各通過帯域を有するアンテナ共用器を備え、送受信周波数の変更に備えるように構成された携帯電話の移動局であって、前記アンテナ共用器は、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを有し、前記変更前受信周波数帯域部を通過した信号を増幅する第１増幅器と、前記変更後受信周波数帯域部を通過した信号を増幅する第２増幅器と、前記第１及び第２増幅器の各出力を各オン／オフする各オン／オフ手段と、該第１及び第２増幅器が各増幅した信号の各周波数帯域を通過帯域とする各受信周波数帯域部を有する共用器とを備えることを特徴とする。
【００２４】
この携帯電話の移動局では、送信用及び受信用で１つのアンテナを共用し、送受信周波数の各通過帯域を有するアンテナ共用器を備え、送受信周波数の変更に備えるように構成されている。アンテナ共用器が、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを有している。第１増幅器が、変更前受信周波数帯域部を通過した信号を増幅し、第２増幅器が、変更後受信周波数帯域部を通過した信号を増幅する。各オン／オフ手段が、第１及び第２増幅器の各出力を各オン／オフし、共用器が、第１及び第２増幅器が各増幅した信号の各周波数帯域を通過帯域とする各受信周波数帯域部を有している。
【００２５】
第７発明に係る携帯電話の中継器は、送信用及び受信用で１つのアンテナを共用し、送受信周波数の各通過帯域を有する第１アンテナ共用器を、移動局側に備え、基地局及び移動局間の送受信を中継し、送受信周波数の変更に備えるように構成された携帯電話の中継器であって、前記第１アンテナ共用器は、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを有し、前記変更前受信周波数帯域部を通過した信号を増幅する第１増幅器と、前記変更後受信周波数帯域部を通過した信号を増幅する第２増幅器と、前記第１及び第２増幅器の各出力を各オン／オフする各オン／オフ手段と、該第１及び第２増幅器が各増幅した信号の各周波数帯域を通過帯域とする各受信周波数帯域部を有する第１共用器とを備えることを特徴とする。
【００２６】
この携帯電話の中継器では、送信用及び受信用で１つのアンテナを共用し、送受信周波数の各通過帯域を有する第１アンテナ共用器を、移動局側に備え、基地局及び移動局間の送受信を中継し、送受信周波数の変更に備えるように構成されている。第１アンテナ共用器は、変更前及び変更後の送信周波数帯域を通過帯域とする送信周波数帯域部と、変更前受信周波数帯域を通過帯域とする変更前受信周波数帯域部と、変更後受信周波数帯域を通過帯域とする変更後受信周波数帯域部とを有している。第１増幅器が、変更前受信周波数帯域部を通過した信号を増幅し、第２増幅器が、変更後受信周波数帯域部を通過した信号を増幅する。各オン／オフ手段が、第１及び第２増幅器の各出力を各オン／オフし、第１共用器が、第１及び第２増幅器が各増幅した信号の各周波数帯域を通過帯域とする各受信周波数帯域部を有している。
【００２７】
第８発明に係る携帯電話の中継器は、前記基地局への変更前及び変更後の送信周波数帯域を通過帯域とする送信周波数帯域部と、前記基地局からの変更前受信周波数帯域を通過帯域とする変更前受信周波数帯域部と、前記基地局からの変更後受信周波数帯域を通過帯域とする変更後受信周波数帯域部とを有する第２アンテナ共用器と、前記変更前受信周波数帯域部を通過した信号を増幅する第３増幅器と、前記変更後受信周波数帯域部を通過した信号を増幅する第４増幅器と、前記第３及び第４増幅器の各出力を各オン／オフする各オン／オフ手段と、該第３及び第４増幅器が各増幅した信号の各周波数帯域を通過帯域とする各受信周波数帯域部を有する第２共用器とを更に備えることを特徴とする。
【００２８】
この携帯電話の中継器では、第２アンテナ共用器が、基地局への変更前及び変更後の送信周波数帯域を通過帯域とする送信周波数帯域部と、基地局からの変更前受信周波数帯域を通過帯域とする変更前受信周波数帯域部と、基地局からの変更後受信周波数帯域を通過帯域とする変更後受信周波数帯域部とを有している。第３増幅器が、変更前受信周波数帯域部を通過した信号を増幅し、第４増幅器が、変更後受信周波数帯域部を通過した信号を増幅する。各オン／オフ手段が、第３及び第４増幅器の各出力を各オン／オフし、第２共用器が、第３及び第４増幅器が各増幅した信号の各周波数帯域を通過帯域とする各受信周波数帯域部を有している。
【００２９】
第９発明に係る携帯電話の中継器は、前記基地局からの変更前送信周波数帯域の信号レベルを判定する第１判定手段と、前記基地局からの変更後送信周波数帯域の信号レベルを判定する第２判定手段とを更に備え、前記第１及び第２判定手段の各判定結果に基づき、前記各オン／オフ手段を作動制御するように構成してあることを特徴とする。
【００３０】
この携帯電話の中継器では、第１判定手段が、基地局からの変更前送信周波数帯域の信号レベルを判定し、第２判定手段が、基地局からの変更後送信周波数帯域の信号レベルを判定し、第１及び第２判定手段の各判定結果に基づき、各オン／オフ手段を作動制御する。
【発明の効果】
【００３１】
第１発明に係る送受信周波数の変更方法によれば、送受信周波数が変更された場合でも、基地局又は移動局を交換する必要が無く、移動局が一時的にでも使用できなくなることが無い、携帯電話の基地局又は移動局の送受信周波数の変更方法を実現することができる。
【００３２】
第２乃至第４発明に係る送受信周波数の変更方法によれば、送受信周波数が変更された場合でも、中継器を交換する必要が無く、移動局が一時的にでも使用できなくなることが無い、携帯電話の中継器の送受信周波数の変更方法を実現することができる。
【００３３】
第５発明に係る携帯電話の基地局によれば、送受信周波数が変更された場合でも、交換する必要が無く、移動局が一時的にでも使用できなくなることが無い、携帯電話の基地局を実現することができる。また、変更前帯域のみでの運用時は、不要信号となる変更後帯域での増幅機能の停止が可能であり、変更後帯域のみでの運用時は、不要信号となる変更前帯域での増幅機能の停止が可能である。
【００３４】
第６発明に係る携帯電話の移動局によれば、送受信周波数が変更された場合でも、交換する必要が無く、一時的にでも使用できなくなることが無い、携帯電話の移動局を実現することができる。また、変更前帯域のみでの運用時は、不要信号となる変更後帯域での増幅機能の停止が可能であり、変更後帯域のみでの運用時は、不要信号となる変更前帯域での増幅機能の停止が可能である。
【００３５】
第７乃至第９発明に係る携帯電話の中継器によれば、送受信周波数が変更された場合でも、交換する必要が無く、移動局が一時的にでも使用できなくなることが無い、携帯電話の中継器を実現することができる。また、変更前帯域のみでの運用時は、不要信号となる変更後帯域での増幅機能の停止が可能であり、変更後帯域のみでの運用時は、不要信号となる変更前帯域での増幅機能の停止が可能である。
【発明を実施するための最良の形態】
【００３６】
以下に、本発明をその実施の形態を示す図面に基づいて具体的に説明する。
（実施の形態１）
図１は、本発明に係る送受信周波数の変更方法及び携帯電話の基地局の実施の形態１の構成例を示すブロック図である。ここでは、基地局１０ａのフロントエンド部を示しており、基地局アンテナ１が受信した信号は、３帯域アンテナ共用器（第１アンテナ共用器）１１の変更前上り帯域部（変更前受信周波数帯域部）１１ｂ及び変更後上り帯域部（変更後受信周波数帯域部）１１ｃで濾波され、濾波された各信号は増幅器１２及び増幅器１５に与えられる。
増幅器１２及び増幅器１５は、それぞれ給電制御スイッチ１３及び給電制御スイッチ１６でオン／オフされ、給電制御スイッチ１３及び給電制御スイッチ１６
は、制御部１４から作動制御される。
【００３７】
変更前上り帯域部１１ｂで濾波され、増幅器１２で増幅された信号は、２帯域共用器（共用器）１７の変更前上り帯域部（変更前受信周波数帯域部）１７ａで濾波される。変更後上り帯域部１１ｃで濾波され、増幅器１５で増幅された信号は、２帯域共用器１７の変更後上り帯域部（変更後受信周波数帯域部）１７ｂで濾波される。
また、送信する信号は、増幅器１８で増幅された後、３帯域アンテナ共用器１１の変更前＋変更後下り帯域部１１ａで濾波され、濾波された信号は、基地局アンテナ１から送信される。
【００３８】
変更前＋変更後下り帯域部（送信周波数帯域部）１１ａは、変更前下り帯域及び変更後下り帯域（変更前及び変更後の送信周波数帯域）の両方を通過帯域としているが、基地局では、下り帯域は送信側であり、基地局が出力する信号のみが変更前＋変更後下り帯域部１１ａを通して出力され、不要波が混じる虞が無い為、変更前＋変更後帯域を同時に通過させても問題は生じない。また、変更前帯域及び変更後帯域の間の減衰は任意である。
【００３９】
以下に、このような構成の携帯電話の基地局１０ａの動作を説明する。
携帯電話の周波数帯域の変更は、変更前帯域のみでの運用、変更前帯域及び変更後帯域での同時運用、変更後帯域のみでの運用、と段階的に実施される。
送信する信号は、各段階で周波数が変更されても、何れの段階においても、増幅器１８で増幅された後、３帯域アンテナ共用器１１の変更前＋変更後下り帯域部１１ａで濾波され、濾波された信号は、基地局アンテナ１から送信される。
【００４０】
変更前帯域のみで運用されているとき、給電制御スイッチ１３はオンに、給電制御スイッチ１６はオフにされ、基地局アンテナ１が受信した信号は、３帯域アンテナ共用器１１の変更前上り帯域部１１ｂで濾波された後、増幅器１２で増幅され、２帯域共用器１７の変更前上り帯域部１７ａで濾波される。
これにより、この時点では、不要信号である変更後帯域の信号は、受信されない。
【００４１】
変更前帯域及び変更後帯域で同時運用されているとき、給電制御スイッチ１３及び給電制御スイッチ１６は共にオンにされ、基地局アンテナ１が受信した信号は、３帯域アンテナ共用器１１の変更前上り帯域部１１ｂ及び変更後上り帯域部１１ｃで濾波される。濾波された各信号は、増幅器１２及び増幅器１５で各増幅され、２帯域共用器１７の変更前上り帯域部１７ａ及び変更後上り帯域部１７ｂで濾波される。
増幅器１２及び増幅器１５で増幅された各信号は、２帯域共用器１７で最終的に合成されるが、変更前上り帯域部１７ａ及び変更後上り帯域部１７ｂを使用することにより、それぞれ他帯域で発生する自帯域のノイズが、自帯域に加わりノイズ特性が劣化するのを防ぐことができる。ノイズ特性の劣化を許容する場合は、２帯域共用器１７に代えて、合成器としても良い。
【００４２】
変更後帯域のみでの運用されているとき、給電制御スイッチ１３はオフに、給電制御スイッチ１６はオンにされ、基地局アンテナ１が受信した信号は、３帯域アンテナ共用器１１の変更後上り帯域部１１ｃで濾波された後、増幅器１５で増幅され、２帯域共用器１７の変更後上り帯域部１７ｂで濾波される。
これにより、この時点では、不要信号である変更前帯域の信号は、受信されない。
【００４３】
本実施の形態１では、変更前帯域及び変更後帯域を個別の増幅器１２，１５で増幅しており、変更前帯域及び変更後帯域を含む広帯域増幅器を使用していない。これにより、各増幅器が対応する帯域に最適整合することができ、広帯域化による性能劣化を抑制することができ、特に、低雑音特性について、良好な特性を維持することができる。
尚、基地局では、使用する周波数が自明である為、給電制御スイッチ１３及び給電制御スイッチ１６のオン／オフは、周波数の変更設定の際に、自動化しておくことが可能である。
【００４４】
（実施の形態２）
図２は、本発明に係る送受信周波数の変更方法及び携帯電話の移動局の実施の形態２の構成例を示すブロック図である。ここでは、移動局３０ａのフロントエンド部を示しており、移動局アンテナ２が受信した信号は、３帯域アンテナ共用器（第１アンテナ共用器）３１の変更前下り帯域部（変更前受信周波数帯域部）３１ａ及び変更後下り帯域部（変更後受信周波数帯域部）３１ｂで濾波され、濾波された各信号は増幅器３２及び増幅器３５に与えられる。
増幅器３２及び増幅器３５は、それぞれ給電制御スイッチ３３及び給電制御スイッチ３６でオン／オフされ、給電制御スイッチ３３及び給電制御スイッチ３６は、基地局からの使用周波数指示に応じそれぞれ制御部３４から作動制御される。
【００４５】
変更前下り帯域部３１ａで濾波され、増幅器３２で増幅された信号は、２帯域共用器（共用器）３７の変更前下り帯域部（変更前受信周波数帯域部）３７ａで濾波され、図示しない復調部に与えられる。変更後下り帯域部３１ｂで濾波され、増幅器３５で増幅された信号は、２帯域共用器３７の変更後下り帯域部（変更後受信周波数帯域部）３７ｂで濾波され、図示しない復調部に与えられる。
また、図示しない変調部からの送信信号は、増幅器３８で増幅された後、３帯域アンテナ共用器３１の変更前＋変更後上り帯域部３１ｃで濾波され、移動局アンテナ２から送信される。
【００４６】
変更前＋変更後上り帯域部（送信周波数帯域部）３１ｃは、変更前上り帯域及び変更後上り帯域（変更前及び変更後の送信周波数帯域）の両方を通過帯域としているが、移動局では、上り帯域は送信側であり、移動局が出力する信号のみが変更前＋変更後上り帯域部３１ｃを通して出力され、不要波が混じる虞が無い為、変更前＋変更後帯域を同時に通過させても問題は生じない。また、変更前帯域及び変更後帯域の間の減衰は任意である。
【００４７】
以下に、このような構成の携帯電話の移動局３０ａの動作を説明する。
携帯電話の周波数帯域の変更は、変更前帯域のみでの運用、変更前帯域及び変更後帯域での同時運用、変更後帯域のみでの運用、と段階的に実施される。
送信信号は、各段階で周波数が変更されても、何れの段階においても、増幅器３８で増幅された後、３帯域アンテナ共用器３１の変更前＋変更後上り帯域部３１ｃで濾波され、濾波された信号は、移動局アンテナ２から送信される。
【００４８】
変更前帯域のみで運用されているとき、基地からの使用周波数指示に応じて、給電制御スイッチ３３はオンに、給電制御スイッチ３６はオフにされる。移動局アンテナ２が受信した信号は、３帯域アンテナ共用器３１の変更前下り帯域部３１ａで濾波された後、増幅器３２で増幅され、２帯域共用器３７の変更前下り帯域部３７ａで濾波される。
これにより、この時点では、不要信号である変更後帯域の信号は、受信されない。
【００４９】
変更前帯域及び変更後帯域で同時運用されているとき、基地からの使用周波数指示に応じて、給電制御スイッチ３３及び給電制御スイッチ３６は共にオンにされる。移動局アンテナ２が受信した信号は、３帯域アンテナ共用器３１の変更前下り帯域部３１ａ及び変更後下り帯域部３１ｂで濾波される。濾波された各信号は、増幅器３２及び増幅器３５で各増幅され、２帯域共用器３７の変更前下り帯域部３７ａ及び変更後下り帯域部３７ｂで濾波される。
増幅器３２及び増幅器３５で増幅された各信号は、２帯域共用器３７で最終的に合成されるが、変更前下り帯域部３７ａ及び変更後下り帯域部３７ｂを使用することにより、それぞれ他帯域で発生する自帯域のノイズが、自帯域に加わりノイズ特性が劣化するのを防ぐことができる。ノイズ特性の劣化を許容する場合は、２帯域共用器３７に代えて、合成器としても良い。
【００５０】
変更後帯域のみで運用されているとき、基地からの使用周波数指示に応じて、給電制御スイッチ３３はオフに、給電制御スイッチ３６はオンにされる。移動局アンテナ２が受信した信号は、３帯域アンテナ共用器３１の変更後下り帯域部３１ａで濾波された後、増幅器３５で増幅され、２帯域共用器３７の変更後下り帯域部３７ｂで濾波される。
これにより、この時点では、不要信号である変更前帯域の信号は、受信されない。
【００５１】
本実施の形態２では、変更前帯域及び変更後帯域を個別の増幅器３２，３５で増幅しており、変更前帯域及び変更後帯域を含む広帯域増幅器を使用していない。これにより、各増幅器が対応する帯域に最適整合することができ、広帯域化による性能劣化を抑制することができ、特に、低雑音特性について、良好な特性を維持することができる。
【００５２】
（実施の形態３）
図３は、本発明に係る送受信周波数の変更方法及び携帯電話の中継器（中継局）の実施の形態３の構成例を示すブロック図である。ここでは、中継器の移動局側装置５０ａを示しており、移動局側アンテナ３が受信した信号は、３帯域アンテナ共用器（第１アンテナ共用器）５１の変更前上り帯域部（変更前受信周波数帯域部）５１ｂ及び変更後上り帯域部（変更後受信周波数帯域部）５１ｃで濾波され、濾波された各信号は増幅器５２及び増幅器５４に与えられる。
増幅器５２及び増幅器５４は、それぞれ給電制御スイッチ５３及び給電制御スイッチ５５でオン／オフされ、給電制御スイッチ５３及び給電制御スイッチ５５は、図示しない制御部からそれぞれ作動制御される。
【００５３】
変更前上り帯域部５１ｂで濾波され、増幅器５２で増幅された信号は、２帯域共用器（第１共用器）５６の変更前上り帯域部（変更前受信周波数帯域部）５６ａで濾波される。変更後上り帯域部５１ｃで濾波され、増幅器５４で増幅された信号は、２帯域共用器５６の変更後上り帯域部（変更後受信周波数帯域部）５６ｂで濾波される。２帯域共用器５６で濾波された信号は、電気／光変換器５９で光信号に変換され、変換された光信号は、上り光回線６１で、例えば数ｋｍ離れた基地局側装置へ送信される。
【００５４】
また、下り光回線６０で基地局側装置から送信された光信号は、光／電気変換器５８で電気信号に変換され、変換された電気信号は、増幅器５７で増幅された後、３帯域アンテナ共用器５１の変更前＋変更後下り帯域部５１ａで濾波され、濾波された信号は、移動局側アンテナ３から送信される。
【００５５】
変更前＋変更後下り帯域部（送信周波数帯域部）５１ａは、変更前下り帯域及び変更後下り帯域（変更前及び変更後の送信周波数帯域）の両方を通過帯域としているが、中継器では、下り帯域は送信側であり、中継局が出力する信号のみが変更前＋変更後下り帯域部５１ａを通して出力され、不要波が混じる虞が無い為、変更前＋変更後帯域を同時に通過させても問題は生じない。また、変更前帯域及び変更後帯域の間の減衰は任意である。
【００５６】
以下に、このような構成の携帯電話の中継器５０ａの動作を説明する。
携帯電話の周波数帯域の変更は、変更前帯域のみでの運用、変更前帯域及び変更後帯域での同時運用、変更後帯域のみでの運用、と段階的に実施される。
送信する信号は、各段階で周波数が変更されても、何れの段階においても、増幅器５７で増幅された後、３帯域アンテナ共用器５１の変更前＋変更後下り帯域部５１ａで濾波され、濾波された信号は、移動局側アンテナ３から送信される。
【００５７】
変更前帯域のみで運用されているとき、給電制御スイッチ５３はオンに、給電制御スイッチ５５はオフにされ、移動局側アンテナ３が受信した信号は、３帯域アンテナ共用器５１の変更前上り帯域部５１ｂで濾波された後、増幅器５２で増幅され、２帯域共用器５６の変更前上り帯域部５６ａで濾波される。
これにより、この時点では、不要信号である変更後帯域の信号は、受信されない。
【００５８】
変更前帯域及び変更後帯域で同時運用されているとき、給電制御スイッチ５３及び給電制御スイッチ５５は共にオンにされ、移動局側アンテナ３が受信した信号は、３帯域アンテナ共用器５１の変更前上り帯域部５１ｂ及び変更後上り帯域部５１ｃで濾波される。濾波された各信号は、増幅器５２及び増幅器５４で各増幅され、２帯域共用器５６の変更前上り帯域部５６ａ及び変更後上り帯域部５６ｂで濾波される。
増幅器５２及び増幅器５４で増幅された各信号は、２帯域共用器５６で最終的に合成されるが、変更前上り帯域部５６ａ及び変更後上り帯域部５６ｂを使用することにより、それぞれ他帯域で発生する自帯域のノイズが、自帯域に加わりノイズ特性が劣化するのを防ぐことができる。ノイズ特性の劣化を許容する場合は、２帯域共用器５６に代えて、合成器としても良い。
【００５９】
変更後帯域のみで運用されているとき、給電制御スイッチ５３はオフに、給電制御スイッチ５５はオンにされ、移動局側アンテナ３が受信した信号は、３帯域アンテナ共用器５１の変更後上り帯域部５１ｃで濾波された後、増幅器５４で増幅され、２帯域共用器５６の変更後上り帯域部５６ｂで濾波される。
これにより、この時点では、不要信号である変更前帯域の信号は、受信されない。
【００６０】
本実施の形態３では、変更前帯域及び変更後帯域を個別の増幅器５２，５４で増幅しており、変更前帯域及び変更後帯域を含む広帯域増幅器を使用していない。これにより、各増幅器が対応する帯域に最適整合することができ、広帯域化による性能劣化を抑制することができ、特に、低雑音特性について、良好な特性を維持することができる。
尚、給電制御スイッチ５３，５５のオン／オフは、周波数を変更する際に、現地での手動によるスイッチ切り替え程度の軽微な作業、又は電話回線、インターネット等を利用した遠隔制御により実行することができる。
【００６１】
（実施の形態４）
図４は、本発明に係る送受信周波数の変更方法及び携帯電話の中継器（中継局）の実施の形態４の構成例を示すブロック図である。ここでは、中継器の移動局側装置５０ｂを示しており、図３に示す中継器の移動局側装置５０ａの給電制御スイッチ５３，５５に代えて、増幅器５２，５４の各出力線に高周波スイッチ６２，６３を設け、増幅された各信号を通流／遮断する構成となっている。その他の構成及び動作は、図３に示す中継器の移動局側装置５０ａの構成及び動作と同様であるので、同一部分には同一符号を付して、説明を省略する。
【００６２】
（実施の形態５）
図５は、本発明に係る送受信周波数の変更方法及び携帯電話の中継器（中継局）の実施の形態５の構成例を示すブロック図である。ここでは、中継器の移動局側装置５０ｃを示しており、図３に示す中継器の移動局側装置５０ａの構成に加えて、基地局側装置からの信号を増幅する増幅器５７の出力を、カプラ７２により抽出する。抽出された信号は、２帯域共用器７３の変更前下り帯域部７３ａ及び変更後下り帯域部７３ｂで濾波され、濾波された各信号は、検波器６６及び検波器６４で各検波される。検波された各信号は、比較器６７及び比較器６５で閾値と各比較される。
【００６３】
比較器６７は、検波された信号が、閾値より大きい場合は、給電制御スイッチ５３をオンにし、増幅器５２を作動させる。比較器６５は、検波された信号が、閾値より大きい場合は、給電制御スイッチ５５をオンにし、増幅器５４を作動させる。閾値は、下り帯域での基地局出力が無い状態と、運用時の常時出力状態との間で、適切な値に設定しておく。
【００６４】
以下に、このような構成の携帯電話の中継器５０ａの動作を説明する。
変更前帯域のみで運用されているとき、比較器６７は、検波された信号が、閾値より大きくなるので、給電制御スイッチ５３をオンにし、増幅器５２を作動させる。比較器６５は、検波された信号が、閾値より大きくないので、給電制御スイッチ５５をオフにし、増幅器５４を作動させない。
変更前帯域及び変更後帯域で同時運用されているとき、比較器６７は、検波された信号が、閾値より大きくなるので、給電制御スイッチ５３をオンにし、増幅器５２を作動させる。比較器６５は、検波された信号が、閾値より大きくなるので、給電制御スイッチ５５をオンにし、増幅器５４を作動させる。
【００６５】
変更後帯域のみで運用されているとき、比較器６７は、検波された信号が、閾値より大きくないので、給電制御スイッチ５３をオフにし、増幅器５２を作動させない。比較器６５は、検波された信号が、閾値より大きくなるので、給電制御スイッチ５５をオンにし、増幅器５４を作動させる。その他の構成及び動作は、図３に示す中継器の移動局側装置５０ａの構成及び動作と同様であるので、同一部分には同一符号を付して、説明を省略する。
本実施の形態５では、給電制御スイッチ５３，５５のオン／オフは、現地での作業、及び電話回線、インターネット等を利用した遠隔制御によらずに、完全自動化することができ、周波数変更による設定変更作業を完全自動にすることができる。
【００６６】
（実施の形態６）
図６は、本発明に係る送受信周波数の変更方法及び携帯電話の中継器（中継局）の実施の形態６の構成例を示すブロック図である。ここでは、送受信を電波信号でのみ行う中継器９０ａを示しており、移動局側アンテナ３が受信した信号は、３帯域アンテナ共用器（第１アンテナ共用器）９１の変更前上り帯域部（変更前受信周波数帯域部）９１ｂ及び変更後上り帯域部（変更後受信周波数帯域部）９１ｃで濾波され、濾波された各信号は増幅器９２及び増幅器９４に与えられる。
増幅器９２及び増幅器９４は、それぞれ給電制御スイッチ９３及び給電制御スイッチ９５でオン／オフされ、給電制御スイッチ９３及び給電制御スイッチ９５は、図示しない制御部からそれぞれ作動制御される。
【００６７】
変更前上り帯域部９１ｂで濾波され、増幅器９２で増幅された信号は、２帯域共用器（第１共用器）９６の変更前上り帯域部（変更前受信周波数帯域部）９６ａで濾波される。変更後上り帯域部９１ｃで濾波され、増幅器９４で増幅された信号は、２帯域共用器９６の変更後上り帯域部（変更後受信周波数帯域部）９６ｂで濾波される。２帯域共用器９６で濾波された信号は、増幅器９８で増幅された後、３帯域アンテナ共用器（第２アンテナ共用器）９９の変更前＋変更後上り帯域部９９ａで濾波され、濾波された信号は、基地局側アンテナ４から送信される。
【００６８】
一方、基地局側アンテナ４が受信した信号は、３帯域アンテナ共用器９９の変更前下り帯域部（変更前受信周波数帯域部）９９ｃ及び変更後下り帯域部（変更後受信周波数帯域部）９９ｂで濾波され、濾波された各信号は増幅器１００及び増幅器１０２に与えられる。
増幅器１００及び増幅器１０２は、それぞれ給電制御スイッチ１０１及び給電制御スイッチ１０３でオン／オフされ、給電制御スイッチ１０１及び給電制御スイッチ１０３は、図示しない制御部からそれぞれ作動制御される。
【００６９】
変更前下り帯域部９９ｃで濾波され、増幅器１００で増幅された信号は、２帯域共用器（第２共用器）１０４の変更前下り帯域部（変更前受信周波数帯域部）１０４ａで濾波される。変更後下り帯域部９９ｂで濾波され、増幅器１０２で増幅された信号は、２帯域共用器１０４の変更後下り帯域部（変更後受信周波数帯域部）１０４ｂで濾波される。２帯域共用器１０４で濾波された信号は、増幅器９７で増幅された後、３帯域アンテナ共用器９１の変更前＋変更後下り帯域部９１ａで濾波され、濾波された信号は、移動局側アンテナ３から送信される。
【００７０】
変更前＋変更後下り帯域部９１ａは、変更前下り帯域及び変更後下り帯域の両方を通過帯域としているが、移動局側の下り帯域は送信側であり、また、不要波は３帯域アンテナ共用器９９により減衰されており、不要波が混じる虞が無い為、変更前＋変更後帯域を同時に通過させても問題は生じない。また、変更前帯域及び変更後帯域の間の減衰は任意である。
また、変更前＋変更後上り帯域部９９ａは、変更前上り帯域及び変更後上り帯域の両方を通過帯域としているが、中継器では、基地局側の上り帯域は送信側であり、また、不要波は３帯域アンテナ共用器９１により減衰されており、不要波が混じる虞が無い為、変更前＋変更後帯域を同時に通過させても問題は生じない。また、変更前帯域及び変更後帯域の間の減衰は任意である。
【００７１】
以下に、このような構成の携帯電話の中継器９０ａの動作を説明する。
携帯電話の周波数帯域の変更は、変更前帯域のみでの運用、変更前帯域及び変更後帯域での同時運用、変更後帯域のみでの運用、と段階的に実施される。
移動局側へ送信する信号は、各段階で周波数が変更されても、何れの段階においても、増幅器９７で増幅された後、３帯域アンテナ共用器９１の変更前＋変更後下り帯域部９１ａで濾波され、濾波された信号は、移動局側アンテナ３から送信される。
また、基地局側へ送信する信号は、各段階で周波数が変更されても、何れの段階においても、増幅器９８で増幅された後、３帯域アンテナ共用器９９の変更前＋変更後下り帯域部９９ａで濾波され、濾波された信号は、基地局側アンテナ４から送信される。
【００７２】
変更前帯域のみで運用されているとき、給電制御スイッチ９３はオンに、給電制御スイッチ９５はオフにされ、移動局側アンテナ３が受信した信号は、３帯域アンテナ共用器９１の変更前上り帯域部９１ｂで濾波された後、増幅器９２で増幅され、２帯域共用器９６の変更前上り帯域部９６ａで濾波される。変更前上り帯域部９６ａで濾波された信号は、増幅器９８で増幅される。
【００７３】
また、給電制御スイッチ１０１はオンに、給電制御スイッチ１０３はオフにされ、基地局側アンテナ４が受信した信号は、３帯域アンテナ共用器９９の変更前下り帯域部９９ｃで濾波された後、増幅器１００で増幅され、２帯域共用器１０４の変更前下り帯域部１０４ａで濾波される。変更前下り帯域部１０４ａで濾波された信号は、増幅器９７で増幅される。
これにより、この時点では、不要信号である変更後帯域の信号は、受信されない。
【００７４】
変更前帯域及び変更後帯域で同時運用されているとき、給電制御スイッチ９３及び給電制御スイッチ９５は共にオンにされ、移動局側アンテナ３が受信した信号は、３帯域アンテナ共用器９１の変更前上り帯域部９１ｂ及び変更後上り帯域部９１ｃで濾波される。濾波された各信号は、増幅器９２及び増幅器９４で各増幅され、２帯域共用器９６の変更前上り帯域部９６ａ及び変更後上り帯域部９６ｂで濾波される。変更前上り帯域部９６ａ及び変更後上り帯域部９６ｂで濾波された信号は、増幅器９８で増幅される。
【００７５】
また、給電制御スイッチ１０１及び給電制御スイッチ１０３は共にオンにされ、基地局側アンテナ４が受信した信号は、３帯域アンテナ共用器９９の変更前下り帯域部９９ｃ及び変更後下り帯域部９９ｂで濾波される。濾波された各信号は、増幅器１００及び増幅器１０２で各増幅され、２帯域共用器１０４の変更前下り帯域部１０４ａ及び変更後下り帯域部１０４ｂで濾波される。変更前下り帯域部１０４ａ及び変更後下り帯域部１０４ｂで濾波された信号は、増幅器９７で増幅される。
【００７６】
増幅器９２及び増幅器９４で増幅された各信号は、２帯域共用器９６で最終的に合成されるが、変更前上り帯域部９６ａ及び変更後上り帯域部９６ｂを使用することにより、それぞれ他帯域で発生する自帯域のノイズが、自帯域に加わりノイズ特性が劣化するのを防ぐことができる。ノイズ特性の劣化を許容する場合は、２帯域共用器９６に代えて、合成器としても良い。これは、増幅器１００及び増幅器１０２で増幅された各信号においても同様である。
【００７７】
変更後帯域のみで運用されているとき、給電制御スイッチ９３はオフに、給電制御スイッチ９５はオンにされ、移動局側アンテナ３が受信した信号は、３帯域アンテナ共用器９１の変更後上り帯域部９１ｃで濾波された後、増幅器９４で増幅され、２帯域共用器９６の変更後歩上り帯域部９６ｂで濾波される。変更後上り帯域部９６ｂで濾波された信号は、増幅器９８で増幅される。
【００７８】
また、給電制御スイッチ１０１はオフに、給電制御スイッチ１０３はオンにされ、基地局側アンテナ４が受信した信号は、３帯域アンテナ共用器９９の変更後下り帯域部９９ｂで濾波された後、増幅器１０２で増幅され、２帯域共用器１０４の変更後下り帯域部１０４ｂで濾波される。変更後下り帯域部１０４ｂで濾波された信号は、増幅器９７で増幅される。
これにより、この時点では、不要信号である変更前帯域の信号は、受信されない。
尚、給電制御スイッチ９３，９５，１０１，１０３のオン／オフは、周波数を変更する際に、現地での手動によるスイッチ切り替え程度の軽微な作業、又は電話回線、インターネット等を利用した遠隔制御により実行することができる。
【図面の簡単な説明】
【００７９】
【図１】本発明に係る送受信周波数の変更方法及び携帯電話の基地局の実施の形態の構成例を示すブロック図である。
【図２】本発明に係る送受信周波数の変更方法及び携帯電話の移動局の実施の形態の構成例を示すブロック図である。
【図３】本発明に係る送受信周波数の変更方法及び携帯電話の中継器の実施の形態の構成例を示すブロック図である。
【図４】本発明に係る送受信周波数の変更方法及び携帯電話の中継器の実施の形態の構成例を示すブロック図である。
【図５】本発明に係る送受信周波数の変更方法及び携帯電話の中継器の実施の形態の構成例を示すブロック図である。
【図６】本発明に係る送受信周波数の変更方法及び携帯電話の中継器の実施の形態の構成例を示すブロック図である。
【図７】携帯電話の概略構成を示す説明図である。
【図８】従来の携帯電話の基地局のフロントエンド部の構成例を示すブロック図である。
【図９】従来の携帯電話の移動局のフロントエンド部の構成例を示すブロック図である。
【図１０】従来の携帯電話の中継器の構成例を示すブロック図である。
【図１１】従来の携帯電話の中継器の他の構成例を示すブロック図である。
【符号の説明】
【００８０】
１０ａ  基地局
１１，３１  ３帯域アンテナ共用器（アンテナ共用器）
５１，９１  ３帯域アンテナ共用器（第１アンテナ共用器）
９９  ３帯域アンテナ共用器（第２アンテナ共用器）
１１ａ，９１ａ  変更前＋変更後下り帯域部（送信周波数帯域部）
１１ｂ，１７ａ，５１ｂ，５６ａ，９１ｂ，９６ａ  変更前上り帯域部（変更前受信周波数帯域部）
１１ｃ，１７ｂ，５１ｃ，５６ｂ，９１ｃ，９６ｂ  変更後上り帯域部（変更後受信周波数帯域部）
１２，１５，１８，３２，３５，３８，５２，５４，５７，９２，９４，９７，９８，１００，１０２  増幅器
１３，１６，３３，３６，５３，５６，９３，９５，１０１，１０３  給電制御スイッチ
１７，３７  ２帯域共用器（共用器）
５６，９６  ２帯域共用器（第１共用器）
１０４  ２帯域共用器（第２共用器）
３０ａ  移動局
３１ａ，３７ｃ，９９ｃ，１０４ａ  変更前下り帯域部（変更前受信周波数帯域部）
３１ｂ，３７ｂ，９９ｂ，１０４ｂ  変更後下り帯域部（変更後受信周波数帯域部）
３１ｃ，５１ａ，９９ａ  変更前＋変更後上り帯域部（送信周波数帯域部）
５０ａ，５０ｂ，５０ｃ  中継器の移動局側装置
６２，６３  高周波スイッチ
６５，６７  比較器
７２  カプラ
９０ａ  中継器
【図１】
2006203810.tif 000003
【図２】
2006203810.tif 000004
【図３】
2006203810.tif 000005
【図４】
2006203810.tif 000006
【図５】
2006203810.tif 000007
【図６】
2006203810.tif 000008
【図７】
2006203810.tif 000009
【図８】
2006203810.tif 000010
【図９】
2006203810.tif 000011
【図１０】
2006203810.tif 000012
【図１１】
2006203810.tif 000013